(57)【特許請求の範囲】
【請求項１】
ラックを搬送する検体搬送部と、
前記検体搬送部によって搬送されたラック上の検体を吸引して測定を行う測定部と、
表示部と、
前記表示部に、装置の状態を表示する装置状態表示エリアおよび測定開始を指示するための測定開始ボタンを含むメインウィンドウを表示させる表示制御手段と、を備え、
エラーの発生によってラックの搬送および新たな検体の吸引が停止した場合、前記表示制御手段は、
前記エラーが、ラックを再セットすることなくラックの搬送および検体吸引を再開可能なエラーである場合には、前記測定開始ボタンの操作を促す情報を前記装置状態表示エリアに表示させ、
前記エラーが、ラックを再セットすることによりラックの搬送および検体吸引を再開可能なエラーである場合には、ラックの再セットを促す情報と、前記測定開始ボタンの操作を促す情報を、前記装置状態表示エリアに表示させる、検体分析装置。
【請求項２】
前記測定部は、エラーの発生によってラックの搬送および新たな検体の吸引が停止した場合、エラー発生時に既に吸引した検体の測定を継続することが可能であり、
前記表示制御手段は、前記エラーが、既に吸引された検体の測定が終了するまで、ラックの搬送および検体吸引を再開できないエラーである場合、前記測定開始ボタンが操作できないことを示唆する情報を前記装置状態表示エリアに表示させる、請求項１の検体分析装置。
【請求項３】
前記ラックの再セットを促す情報が、ラックを示す画像を含む、請求項１または２に記載の検体分析装置。
【請求項４】
前記測定開始ボタンの操作を促す情報が、前記測定開始ボタンを示す画像を含む、請求項１〜３のいずれか一項に記載の検体分析装置。
【請求項５】
前記表示制御手段は、前記装置の状態に応じて、前記装置状態表示エリアの表示色を切り換えるように構成されている、請求項１〜４のいずれか一項に記載の検体分析装置。
【請求項６】
前記表示制御手段は、
前記エラーが、ラックを再セットし、又はラックを再セットすることなく、ラックの搬送および検体吸引を再開可能なエラーである場合には、前記装置状態表示エリアを第１の表示色で表示させ、
前記エラーが、ラックの搬送および検体吸引が再開できないエラーである場合には、前記装置状態表示エリアを第２の表示色で表示させる、請求項５に記載の検体分析装置。
【請求項７】
前記表示制御手段は、エラーが発生しておらず、且つ、測定開始ボタンを操作することによって、ラックの搬送および検体吸引を開始できる状態にある場合には、前記装置状態表示エリアを第３の表示色で表示させる、請求項６に記載の検体分析装置。
【請求項８】
前記表示制御手段は、エラーの発生によって、ラックの搬送および検体吸引が停止した場合、前記エラーを復旧するための復旧情報を含むヘルプウィンドウを、前記メインウィンドウの上に、前記測定開始ボタンおよび前記装置状態表示エリアに重ならないように表示させる、請求項１〜７のいずれか一項に記載の検体分析装置。
【請求項９】
前記エラーが、ラックを再セットすることによりラックの搬送および検体吸引を再開可能なエラーである場合、前記復旧情報は、ラックの再セットを促すメッセージを含む、請求項８に記載の検体分析装置。
【発明の詳細な説明】
【技術分野】
【０００１】
本発明は、免疫分析装置、血液凝固測定装置等の検体を分析する検体分析装置に関する。
【背景技術】
【０００２】
病院や検査機関では、生体から採取される血液などの検体の性状についての項目を測定する検体分析装置が使用されている。下記特許文献１には、誤動作等のエラーが発生した場合に、制御装置の表示画面にエラーに関する説明やエラーの復旧方法を表示するようにした生体試料分析装置が開示されている。この装置では、ユーザーが表示画面に表示された説明等を読むことによってエラーの内容を認識し、復旧作業を行うことが可能となっている。
【先行技術文献】
【特許文献】
【０００３】
【特許文献１】特開２００６−７１６４９号公報
【発明の概要】
【発明が解決しようとする課題】
【０００４】
上記特許文献１の技術では、エラーに関する説明やエラーの復旧方法が表示画面に文字で表示されるだけであり、これだけでは一般のユーザーが、エラーの発生によって中断した測定を、エラー復旧後に正確且つ迅速に再開できない場合があった。
【０００５】
本発明は、このような実情に鑑みてなされたものであり、装置にエラーが発生して測定が中断した場合に、ユーザーが、正確且つ迅速にエラー復旧後の測定再開を行うことができる検体分析装置を提供することを目的とする。
【課題を解決するための手段】
【０００６】
本発明は、検体を分析する検体分析装置であって、ラックを搬送する検体搬送部と、前記検体搬送部によって搬送されたラック上の検体を吸引して測定を行う測定部と、表示部と、前記表示部に、装置の状態を表示する装置状態表示エリアおよび測定開始を指示するための測定開始ボタンを含むメインウィンドウを表示させる表示制御手段と、を備え、エラーの発生によってラックの搬送および新たな検体の吸引が停止した場合、前記表示制御手段は、前記エラーが、ラックを再セットすることなくラックの搬送および検体吸引を再開可能なエラーである場合には、前記測定開始ボタンの操作を促す情報を前記装置状態表示エリアに表示させ、前記エラーが、ラックを再セットすることによりラックの搬送および検体吸引を再開可能なエラーである場合には、ラックの再セットを促す情報と、前記測定開始ボタンの操作を促す情報を、前記装置状態表示エリアに表示させることを特徴としている。
【０００７】
前記測定部は、エラーの発生によってラックの搬送および新たな検体の吸引が停止した場合、エラー発生時に既に吸引した検体の測定を継続することが可能であり、前記表示制御手段は、前記エラーが、既に吸引された検体の測定が終了するまで、ラックの搬送および検体吸引を再開できないエラーである場合、前記測定開始ボタンが操作できないことを示唆する情報を前記装置状態表示エリアに表示させる構成であってもよい。
【０００８】
前記ラックの再セットを促す情報が、ラックを示す画像を含む構成であってもよい。
【０００９】
前記測定開始ボタンの操作を促す情報が、前記測定開始ボタンを示す画像を含む構成であってもよい。
【００１０】
前記表示制御手段は、前記装置の状態に応じて、前記装置状態表示エリアの表示色を切り換えるように構成されていてもよい。
【００１１】
前記表示制御手段は、前記エラーが、ラックを再セットし、又はラックを再セットすることなく、ラックの搬送および検体吸引を再開可能なエラーである場合には、前記装置状態表示エリアを第１の表示色で表示させ、前記エラーが、ラックの搬送および検体吸引が再開できないエラーである場合には、前記装置状態表示エリアを第２の表示色で表示させる構成であってもよい。
【００１２】
前記表示制御手段は、エラーが発生しておらず、且つ、測定開始ボタンを操作することによって、ラックの搬送および検体吸引を開始できる状態にある場合には、前記装置状態表示エリアを第３の表示色で表示させる構成であってもよい。
【００１３】
前記表示制御手段は、エラーの発生によって、ラックの搬送および検体吸引が停止した場合、前記エラーを復旧するための復旧情報を含むヘルプウィンドウを、前記メインウィンドウの上に、前記測定開始ボタンおよび前記装置状態表示エリアに重ならないように表示させる構成であってもよい。
【００１４】
前記エラーが、ラックを再セットすることによりラックの搬送および検体吸引を再開可能なエラーである場合、前記復旧情報は、ラックの再セットを促すメッセージを含む構成であってもよい。
【発明の効果】
【００１５】
本発明によれば、装置にエラーが発生して測定が中断した場合に、ユーザーが、正確且つ迅速にエラー復旧後の測定再開を行うことができる。
【図面の簡単な説明】
【００１６】
【図１】本発明の検体分析装置の一実施の形態の全体構成を示す平面説明図である。
【図２】図１に示される免疫分析装置における測定ユニットの構成を示すブロック図である。
【図３】図１に示される免疫分析装置における制御装置のブロック図である。
【図４】図１に示される免疫分析装置を用いた免疫分析の全体フローを示す図である。
【図５】免疫分析装置の動作状態チェック処理の手順を示すフローチャートである。
【図６】制御装置によるエラー処理の手順を示すフローチャートである。
【図７】メインウィンドウ及び測定部ヘルプウィンドウを示す図である。
【図８】メインウィンドウ、測定部ヘルプウィンドウ及び異常箇所ダイアログを示す図である。
【図９】測定部ヘルプウィンドウ及び異常箇所ダイアログの他の例を示す図である。
【図１０】測定部ヘルプウィンドウ及び異常箇所ダイアログの更に他の例を示す図である。
【図１１】装置状態表示エリアのテキスト表示、表示色、エラー復帰用アイコン及び装置状態の対応関係を示すテーブルである。
【発明を実施するための形態】
【００１７】
以下、添付図面を参照しつつ、本発明の検体分析装置の実施の形態を詳細に説明する。
［装置の全体構成］
図１は、本発明の一実施の形態に係る免疫分析装置（検体分析装置）の全体構成を示す平面説明図である。
本発明の一実施の形態に係る免疫分析装置１は、血液等の検体（試料）を用いてＢ型肝炎、Ｃ型肝炎、腫瘍マーカ及び甲状腺ホルモン等種々の項目の検査を行うための装置である。この免疫分析装置１は、図１に模式的に示されるように、複数の機構（コンポーネント）からなる測定ユニット（測定部）２と、この測定ユニット２に電気的に接続された、データ処理ユニットである制御装置４００（図３参照）とから主に構成されている。
【００１８】
測定ユニット２は、検体搬送部（サンプラ）１０と、緊急検体・チップ搬送部２０と、ピペットチップ供給装置３０と、チップ脱離部４０と、検体分注アーム５０と、試薬設置部６０ａ及び６０ｂと、１次反応部８０ａ及び２次反応部８０ｂと、試薬分注アーム９０ａ、９０ｂ及び９０ｃと、１次ＢＦ分離部１００ａ及び２次ＢＦ分離部１００ｂと、検出部１２０と、前記検体搬送部（サンプラ）１０や検体分注アーム５０等の機構の動作制御を行う本体制御部１４０（図２参照）とを備えている。なお、本実施の形態に係る免疫分析装置１では、検体分注アーム５０により吸引及び吐出された血液等の検体が他の検体と混ざり合うのを抑制するために、検体の吸引及び吐出を行う度に、使い捨てのピペットチップの交換を行っている。
【００１９】
この免疫分析装置１では、測定対象である血液等の検体に含まれる抗原に結合した捕捉抗体（Ｒ１試薬）に磁性粒子（Ｒ２試薬）を結合させた後に、結合（Ｂｏｕｎｄ）した抗原、捕捉抗体及び磁性粒子を１次ＢＦ（Ｂｏｕｎｄ  Ｆｒｅｅ）分離部１００ａの磁石に引き寄せることにより、未反応（Ｆｒｅｅ）の捕捉抗体を含むＲ１試薬を除去する。そして、磁性粒子が結合した抗原と標識抗体（Ｒ３試薬）とを結合させた後に、結合（Ｂｏｕｎｄ）した磁性粒子、抗原及び標識抗体を２次ＢＦ分離部１００ｂの磁石に引き寄せることにより、未反応（Ｆｒｅｅ）の標識抗体を含むＲ３試薬を除去する。さらに、標識抗体との反応過程で発光する発光基質（Ｒ５試薬）を添加した後、標識抗体と発光基質との反応によって生じる発光量を測定する。このような過程を経て、標識抗体に結合する検体に含まれる抗原を定量的に測定している。
【００２０】
［制御装置の構成］
制御装置４００は、パーソナルコンピュータ４０１（ＰＣ）等からなり、図１に示されるように、制御部４００ａと、表示部４００ｂと、キーボードやマウス等の入力部（入力手段）４００ｃとを含んでいる。制御部４００ａは、測定ユニット２における各機構の動作制御を行うとともに、測定ユニット２で得られた検体の光学的な情報を分析するための機能を有している。この制御部４００ａは、ＣＰＵ、ＲＯＭ、ＲＡＭ等からなる。また、表示部４００ｂは、制御部４００ａで得られた分析結果等の情報を表示したり、また、後述するエラーウィンドウ（測定部ヘルプウィンドウ）２１０等を表示したりするために用いられる。
【００２１】
次に、制御装置４００の構成について説明する。制御部４００ａは、図３に示されるように、ＣＰＵ４０１ａと、ＲＯＭ４０１ｂ，ＲＡＭ４０１ｃ及びハードディスク４０１ｄ等からなる記憶部と、読出装置４０１ｅと、入出力インタフェース４０１ｆと、通信インタフェース４０１ｇと、画像出力インタフェース４０１ｈとから主として構成されている。
ＣＰＵ４０１ａ、ＲＯＭ４０１ｂ、ＲＡＭ４０１ｃ、ハードディスク４０１ｄ、読出装置４０１ｅ、入出力インタフェース４０１ｆ、通信インタフェース４０１ｇ、及び画像出力インタフェース４０１ｈは、バス４０１ｉによって接続されている。
【００２２】
ＣＰＵ４０１ａは、ＲＯＭ４０１ｂに記憶されているコンピュータプログラム及びＲＡＭ４０１ｃにロードされたコンピュータプログラムを実行することが可能である。そして、後述するようなアプリケーションプログラム４０４ａをＣＰＵ４０１ａが実行することにより、コンピュータ４０１が制御装置４００として機能する。
ＲＯＭ４０１ｂは、マスクＲＯＭ、ＰＲＯＭ、ＥＰＲＯＭ、ＥＥＰＲＯＭ等によって構成されており、ＣＰＵ４０１ａに実行されるコンピュータプログラム及びこれに用いるデータ等が記録されている。
【００２３】
ＲＡＭ４０１ｃは、ＳＲＡＭ又はＤＲＡＭ等によって構成されている。ＲＡＭ４０１ｃは、ＲＯＭ４０１ｂ及びハードディスク４０１ｄに記録されているコンピュータプログラムの読み出しに用いられる。また、これらのコンピュータプログラムを実行するときに、ＣＰＵ４０１ａの作業領域として利用される。
【００２４】
ハードディスク４０１ｄは、オペレーティングシステム及びアプリケーションプログラム等、ＣＰＵ４０１ａに実行させるための種々のコンピュータプログラム４０４ａ及びそのコンピュータプログラムの実行に用いるデータがインストールされている。例えば、測定オーダを登録するためのアプリケーションプログラムや、後述するように測定ユニット２のエラーに関する情報を取得したり、表示したりするためのアプリケーションプログラムもこのハードディスク４０１ｄにインストールされている。また、ハードディスク４０１ｄには、後述するような異常箇所画像、エラー詳細メッセージ、装置状態表示エリア２０２の背景画像、及びエラー復帰用アイコンが装置状態と関連づけられて記憶されている。
【００２５】
読出装置４０１ｅは、フレキシブルディスクドライブ、ＣＤ−ＲＯＭドライブ、又はＤＶＤ−ＲＯＭドライブ等によって構成されており、可搬型記録媒体４０４に記録されたコンピュータプログラム又はデータを読み出すことができる。また、可搬型記録媒体４０４には、本実施の形態におけるアプリケーションプログラム４０４ａが格納されており、コンピュータ４０１が、その可搬型記録媒体４０４からアプリケーションプログラム４０４ａを読み出し、そのアプリケーションプログラム４０４ａをハードディスク４０１ｄにインストールすることが可能である。
【００２６】
なお、前記アプリケーションプログラム４０４ａは、可搬型記録媒体４０４によって提供されるのみならず、電気通信回線（有線、無線を問わない）によってコンピュータ４０１と通信可能に接続された外部の機器から前記電気通信回線を通じて提供することも可能である。例えば、前記アプリケーションプログラム４０４ａがインターネット上のサーバコンピュータのハードディスク内に格納されており、このサーバコンピュータにコンピュータ４０１がアクセスして、そのアプリケーションプログラム４０４ａをダウンロードし、これをハードディスク４０１ｄにインストールすることも可能である。
【００２７】
ハードディスク４０１ｄには、例えば、米マイクロソフト社が製造販売するＷｉｎｄｏｗｓ（登録商標）等のグラフィカルユーザインタフェース環境を提供するオペレーティングシステムがインストールされている。以下の説明においては、本実施の形態におけるアプリケーションプログラム４０４ａは前記オペレーティングシステム上で動作するものとしている。
【００２８】
入出力インタフェース４０１ｆは、例えば、ＵＳＢ、ＩＥＥＥ１３９４、ＲＳ−２３２Ｃ等のシリアルインタフェース、ＳＣＳＩ、ＩＤＥ、ＩＥＥＥ１２８４等のパラレルインタフェース、及びＤ／Ａ変換器、Ａ／Ｄ変換器等からなるアナログインタフェース等から構成されている。入出力インタフェース４０１ｆには、キーボード４００ｃが接続されており、ユーザーがそのキーボード４００ｃを使用することにより、コンピュータ４０１にデータを入力することが可能である。
【００２９】
通信インタフェース４０１ｇは、例えば、Ｅｔｈｅｒｎｅｔ（登録商標）インタフェースである。コンピュータ４０１は、その通信インタフェース４０１ｇにより、所定の通信プロトコルを使用して測定ユニット２との間でデータの送受信が可能である。
画像出力インタフェース４０１ｈは、ＬＣＤ又はＣＲＴ等で構成された表示部４００ｂに接続されており、ＣＰＵ４０１ａから与えられた画像データに応じた映像信号を表示部４００ｂに出力するようになっている。表示部４００ｂは、入力された映像信号にしたがって、画像（画面）を表示する。
【００３０】
［免疫分析装置の各機構の構成］
免疫分析装置１の各機構の構成としては、公知の構成を適宜採用することができるが、以下、それらについて簡単に説明をする。
検体搬送部１０は、検体を収容した複数の試験管３が載置されたラック４を検体分注アーム５０の吸引位置に対応する位置まで搬送するように構成されている。この検体搬送部１０は、未処理の検体を収容した試験管３が載置されたラック４をセットするためのラックセット部１０ａと、分注処理済みの検体を収容した試験管３が載置されたラック４を貯留するためのラック貯留部１０ｂとを有している。そして、未処理の検体を収容した試験管３を検体分注アーム５０の吸引位置に対応する位置まで搬送することにより、検体分注アーム５０により試験管３内の血液等の検体の吸引が行われて、その試験管３を載置したラック４がラック貯留部１０ｂに貯留される。
【００３１】
緊急検体・チップ搬送部２０は、検体搬送部１０により搬送される検体に割り込んで検査する必要がある緊急検体を収容した試験管３を検体分注アーム５０の装着位置まで搬送するように構成されている。
ピペットチップ供給装置３０は、投入したピペットチップを１つずつ緊急検体・チップ搬送部２０の搬送ラック２３のチップ設置部２３ａに載置する機能を有している。
チップ脱離部４０は、後述する検体分注アーム５０に装着されたピペットチップを脱離するために設けられている。
【００３２】
検体分注アーム５０は、検体搬送部１０により吸引位置に搬送された試験管３内の検体を、後述する１次反応部８０ａの回転テーブル部８１の保持部８１ａに保持されるキュベット（図示せず）内に分注する機能を有している。この検体分注アーム５０は、アーム部５１を、軸５２を中心に回動させるとともに、上下方向（Ｚ方向）に移動させることが可能なように構成されている。また、アーム部５１の先端部には、検体の吸引及び吐出を行うノズル部が設けられており、このノズル部の先端には、緊急検体・チップ搬送部２０の搬送ラック（図示せず）により搬送されるピペットチップが装着される。
【００３３】
試薬設置部６０ａには、捕捉抗体を含むＲ１試薬が収容される試薬容器及び標識抗体を含むＲ３試薬が収容される試薬容器が設置されている。
一方、試薬設置部６０ｂには、磁性粒子を含むＲ２試薬が収容される試薬容器が設置されている。
【００３４】
１次反応部８０ａは、回転テーブル部８１の保持部８１ａに保持されるキュベットを所定の期間（本実施の形態では、２０秒）毎に所定の角度だけ回転移送するとともに、キュベット内の検体、Ｒ１試薬及びＲ２試薬を攪拌するために設けられている。つまり、１次反応部８０ａは、キュベット内で磁性粒子を有するＲ２試薬と検体中の抗原とを反応させるために設けられている。この１次反応部８０ａは、検体とＲ１試薬及びＲ２試薬とが収容されるキュベットを回転方向に搬送するための回転テーブル部８１と、キュベット８内の検体、Ｒ１試薬及びＲ２試薬を攪拌するとともに、攪拌された検体、Ｒ１試薬及びＲ２試薬が収容されたキュベットを後述する１次ＢＦ分離部１００ａに搬送する容器搬送部８２とから構成されている。
【００３５】
前記容器搬送部８２は、回転テーブル部８１の中心部分に回転可能に設置されている。この容器搬送部８２は、回転テーブル部８１の保持部８１ａに保持されるキュベットを把持するとともにキュベット内の試料を攪拌する機能を有している。さらに、容器搬送部８２は、検体、Ｒ１試薬及びＲ２試薬を攪拌してインキュベーションした試料を収容したキュベットを１次ＢＦ分離部１００ａに搬送する機能も有している。
【００３６】
試薬分注アーム９０ａは、試薬設置部６０ａに設置される試薬容器内のＲ１試薬を吸引するとともに、その吸引したＲ１試薬を１次反応部８０ａのキュベット内に分注するための機能を有している。この試薬分注アーム９０ａは、アーム部９１ｂを、軸９１ｃを中心に回動させるとともに、上下方向に移動させることが可能なように構成されている。また、アーム部９１ｂの先端部には、試薬容器内のＲ１試薬の吸引及び吐出を行うためのノズルが取り付けられている。
【００３７】
試薬分注アーム９０ｂは、試薬設置部６０ｂに設置される試薬容器内のＲ２試薬を１次反応部８０ａの検体及びＲ１試薬が分注されたキュベット内に分注するための機能を有している。この試薬分注アーム９０ｂは、アーム部９２ｂを、軸９２ｃを中心に回動させるとともに、上下方向（Ｚ方向）に移動させることが可能なように構成されている。また、アーム部９２ｂの先端部には、試薬容器内のＲ２試薬の吸引及び吐出を行うためのノズルが取り付けられている。
【００３８】
本実施の形態では、１次ＢＦ分離部１００ａは、１次反応部８０ａの容器搬送部８２によって搬送されたキュベット内の試料から未反応のＲ１試薬（不要成分）と磁性粒子とを分離するために設けられている。
未反応のＲ１試薬等が分離された１次ＢＦ分離部１００ａのキュベットは、搬送機構９６により２次反応部８０ｂの回転テーブル部８３の保持部８３ａに搬送される。搬送機構９６は、先端にキュベット把持部（図示せず）を有するアーム部９６ａを、軸９６ｂを中心に回動させるとともに、上下方向（Ｚ方向）に移動させることが可能なように構成されている。
【００３９】
２次反応部８０ｂは、１次反応部８０ａと同様の構成を有しており、回転テーブル部８３の保持部８３ａに保持されるキュベットを所定の期間（本実施の形態では、２０秒）毎に所定の角度だけ回転移送するとともに、キュベット内の検体、Ｒ１試薬、Ｒ２試薬、Ｒ３試薬及びＲ５試薬を攪拌するために設けられている。つまり、２次反応部８０ｂは、キュベット内で標識抗体を有するＲ３試薬と検体中の抗原とを反応させるとともに、発光基質を有するＲ５試薬とＲ３試薬の標識抗体とを反応させるために設けられている。この２次反応部８０ｂは、検体、Ｒ１試薬、Ｒ２試薬、Ｒ３試薬及びＲ５試薬が収容されるキュベット８を回転方向に搬送するための回転テーブル部８３と、キュベット内の検体、Ｒ１試薬、Ｒ２試薬、Ｒ３試薬及びＲ５試薬を攪拌するとともに、攪拌された検体等が収容されたキュベットを後述する２次ＢＦ分離部１００ｂに搬送する容器搬送部８４とから構成されている。さらに、容器搬送部８４は、２次ＢＦ分離部１００ｂにより処理されたキュベットを再び回転テーブル部８３の保持部８３ａに搬送する機能を有している。
【００４０】
試薬分注アーム９０ｃは、試薬設置部６０ａに設置される試薬容器内のＲ３試薬を吸引するとともに、その吸引されたＲ３試薬を２次反応部８０ｂの検体、Ｒ１試薬及びＲ２試薬が分注されたキュベット内に分注するための機能を有している。この試薬分注アーム９０ｃは、アーム部９３ｂを、軸９３ｃを中心に回動させるとともに、上下方向に移動させることが可能なように構成されている。また、アーム部９３ｂの先端部には、試薬容器内のＲ３試薬の吸引及び吐出を行うためのノズルが取り付けられている。
【００４１】
２次ＢＦ分離部１００ｂは、１次ＢＦ分離部１００ａと同様の構成を有しており、２次反応部８０ｂの容器搬送部８４によって搬送されたキュベット内の試料から未反応のＲ３試薬（不要成分）と磁性粒子とを分離するために設けられている。
Ｒ４試薬供給部９４及びＲ５試薬供給部９５は、それぞれＲ４試薬及びＲ５試薬を２次反応部８０ｂの回転テーブル部８３の保持部８３ａに保持されたキュベット内に供給するために設けられている。
【００４２】
検出部１２０は、所定の処理が行なわれた検体の抗原に結合する標識抗体と発光基質との反応過程で生じる光を光電子増倍管（Ｐｈｏｔｏ  Ｍｕｌｔｉｐｌｉｅｒ  Ｔｕｂｅ）で取得することにより、その検体に含まれる抗原の量を測定するために設けられている。この検出部１２０は、２次反応部８０ｂの回転テーブル部８３の保持部８３ａに保持されるキュベットを当該検出部１２０に搬送するための搬送機構部１２１を備えている。
測定済の試料が吸引された、使用済みキュベットは廃棄用孔１３０を介して免疫分析装置１の下部に配置される図示しないダストボックスに廃棄される。
【００４３】
［全体プロセス］
免疫分析装置１による分析処理の全体のフローを図に示す。なお、以下のフローチャート中の判断において、「Ｙｅｓ」及び「Ｎｏ」を図示しない場合は、下がＹｅｓ、右（左）がＮｏである。また、以下に説明する処理は、制御部４００ａ及び本体制御部１４０によって制御される処理である。
【００４４】
まず、免疫分析装置１の電源が投入されると、本体制御部１４０の初期化が行われる（ステップＳ１）。この初期化動作では、プログラムの初期化や免疫分析装置１の駆動部分の原位置復帰等が行われる。
一方、免疫分析装置１に通信可能に接続されたパーソナルコンピュータ４０１の電源が投入されると、当該パーソナルコンピュータ４０１の制御部４００ａの初期化が行われる（ステップＳ１０１）。この初期化動作では、プログラムの初期化等が行われる。
【００４５】
ついでステップＳ１０２において、制御部４００ａによって、測定開始の指示が行われたか否かが判断される。制御部４００ａは、測定開始の指示が行われたと判断した場合（Ｙｅｓ）にはステップＳ１０３へ処理を進め、測定開始の指示が行われなかったと判断した場合（Ｎｏ）にはステップＳ１１３へ処理を進める。そして、ステップＳ１０３において、測定開始信号が制御部４００ａから本体制御部１４０へ送信される。
ついでステップＳ２において、本体制御部１４０によって、測定開始信号の受信が行われたか否かが判断される。本体制御部１４０が、測定開始信号の受信が行われたと判断した場合（Ｙｅｓ）にはステップＳ３へ処理を進め、測定開始信号の受信が行われなかったと判断した場合（Ｎｏ）にはステップＳ１４へ処理を進める。
【００４６】
ついでステップＳ３において、検体搬送部１０により、検体を収容した複数の試験管３が載置されたラック４が検体分注アーム５０の吸引位置１ａに対応する位置まで搬送される。前記ラック４には、当該ラック４を特定するための情報（ラック番号）が記録された、記録部であるバーコードが付されており、このラック４を所定の位置まで搬送する搬送路に設けられた検出部（図示せず）によって、前記バーコードが読み取られる（ステップＳ４）。読み取られたラック番号は、ステップＳ５において、本体制御部１４０によってパーソナルコンピュータ４０１側に送信される。
【００４７】
ついでステップＳ１０４において、制御部４００ａによって、ラック番号の受信が行われたか否かが判断される。制御部４００ａが、ラック番号の受信が行われたと判断した場合（Ｙｅｓ）にはステップＳ１０５へ処理を進める。
ついでステップＳ１０５において、制御部４００ａによって、オーダページの検索が行われる。すなわち、制御部４００ａによって、ハードディスク４０１ｄの記憶領域に記憶されているオーダ情報から、ステップＳ１０４において受信したラック番号に係るオーダ情報が検索される。
【００４８】
前記試験管３には、前記ラック４と同様に当該試験管３内の検体を特定するための情報（検体番号）が記録された、記録部であるバーコードが付されており、試験管３を載置したラック４を所定の位置まで搬送する搬送路に設けられた検出部（図示せず）によって、前記バーコードが読み取られる（ステップＳ６）。読み取られた検体番号は、ステップＳ７において、パーソナルコンピュータ４０１側に送信される。なお、試験管３とラック４のバーコードは、別々の検出部で読み取るようにしてもよいし、共通の検出部で読み取るようにしてもよい。
【００４９】
ついでステップＳ１０６において、制御部４００ａによって、検体番号の受信が行われたか否かの判断をする。制御部４００ａが、検体番号の受信が行われたと判断した場合（Ｙｅｓ）にはステップＳ１０７へ処理を進める。
ついでステップＳ１０７において、制御部４００ａによって、オーダの検索が行われる。すなわち、制御部４００ａによって、ステップＳ１０５において検索された、特定のラック番号に係るオーダ情報から、ステップＳ１０６において受信した検体番号に係るオーダ情報が検索される。そして、ステップＳ１０８において、制御部４００ａによって、オーダの指示が本体制御部１４０へ送信される。
【００５０】
ついでステップＳ８において、本体制御部１４０によって、オーダ指示の受信が行われたか否かが判断される。本体制御部１４０が、オーダ指示の受信が行われたと判断した場合（Ｙｅｓ）にはステップＳ９へ処理を進める。
ついでステップＳ９において、オーダされた項目についての測定が行われる。そして、測定結果が、本体制御部１４０によりパーソナルコンピュータ４０１側に送信される（ステップＳ１０）。
【００５１】
ついでステップＳ１０９において、制御部４００ａによって、測定結果の受信が行われたか否かが判断される。制御部４００ａが、測定結果の受信が行われたと判断した場合（Ｙｅｓ）にはステップＳ１１０へ処理を進める。
ステップＳ１１０では、本体制御部１４０側から送信された測定結果の解析処理が行われる。すなわち、制御部４００ａは、送信された測定結果と、予め標準試料を用いて作成され、前記ハードディスク４０１ｄに記憶されている検量線とから、測定対象の抗原の濃度を換算し、その結果（分析結果）を記憶する。また、制御部４００ａは、分析結果の出力を行う。
【００５２】
ついでステップＳ１１１において、制御部４００ａによって、ラック４に保持されているすべての試験管３中の検体について測定が行われたか否かが判断される。制御部４００ａは、ラック４に保持されているすべての試験管３中の検体について測定が行われたと判断した場合（Ｙｅｓ）にはステップＳ１１２へ処理を進め、ラック４に保持されているすべての試験管３中の検体については測定が行われていないと判断した場合（Ｎｏ）にはステップＳ１０６へ処理を戻す。
【００５３】
ついでステップＳ１１２において、制御部４００ａによって、すべてのラック４について測定が行われたか否かが判断される。制御部４００ａは、すべてのラック４について測定が行われたと判断した場合（Ｙｅｓ）にはステップＳ１１３へ処理を進め、すべてのラック４については測定が行われていないと判断した場合（Ｎｏ）にはステップＳ１０４へ処理を戻す。
ついでステップＳ１１３において、制御部４００ａによって、パーソナルコンピュータ４０１をシャットダウンする指示を受け付けているか否かが判断される。制御部４００ａは、シャットダウンする指示を受け付けていると判断した場合（Ｙｅｓ）にはステップＳ１１４へ処理を進め、シャットダウンする指示を受け付けていないと判断した場合（Ｎｏ）にはステップＳ１０２へ処理を戻す。
【００５４】
ついでステップＳ１１４において、シャットダウン信号が制御部４００ａから本体制御部１４０へ送信される。
そして、ステップＳ１１５において、制御部４００ａにより、パーソナルコンピュータ４０１のシャットダウンが行われ、処理が終了する。
【００５５】
また、ステップＳ１１において、本体制御部１４０によって、ラック４に保持されているすべての試験管３中の検体について測定が行われたか否かが判断される。本体制御部１４０は、ラック４に保持されているすべての試験管３中の検体について測定が行われたと判断した場合（Ｙｅｓ）にはステップＳ１３へ処理を進め、ラック４に保持されているすべての試験管３中の検体については測定が行われていないと判断した場合（Ｎｏ）には、ラック４を所定距離（次に測定される検体を収容する試験管が被吸引位置に到達する距離）だけ搬送し（ステップＳ１２）、ステップＳ６へ処理を戻す。
【００５６】
ついでステップＳ１３において、本体制御部１４０によって、すべてのラック４について測定が行われたか否かが判断される。本体制御部１４０は、すべてのラック４について測定が行われたと判断した場合（Ｙｅｓ）にはステップＳ１４へ処理を進め、すべてのラック４については測定が行われていないと判断した場合（Ｎｏ）にはステップＳ３へ処理を戻す。
ついでステップＳ１４において、本体制御部１４０によって、シャットダウン信号の受信が行われたか否かが判断される。本体制御部１４０が、シャットダウン信号の受信が行われたと判断した場合（Ｙｅｓ）にはステップＳ１５へ処理を進め、シャットダウン信号の受信が行われていないと判断した場合（Ｙｅｓ）にはステップＳ２へ処理を戻す。
【００５７】
そして、ステップＳ１５において、本体制御部１４０により、免疫分析装置１のシャットダウンが行われ、処理が終了する。
【００５８】
［動作状態チェック処理］
次に、動作状態チェック処理について説明する。
図５は、免疫分析装置１の動作状態チェック処理の手順を示すフローチャートである。検体搬送部１０や検体分注アーム５０、試薬分注アーム９０ａ〜９０ｃ等の測定ユニット２を構成する各機構（コンポーネント）には、各機構の動作状況を監視するセンサ（検知手段）が設けられている。本体制御部１４０は、ステップＳ３０１において、各センサから検出結果を取得する。また、本体制御部１４０は、ステップＳ３０２において、各センサから取得した検出結果（動作状態情報）を解析する。エラーが発生している場合には、この動作状態の解析処理によってエラーが検出される。次に、ステップＳ３０３において、本体制御部１４０はエラーが検出されたか否かを判定する。エラーが検出されていない場合には、ステップＳ３０１へ処理が戻される。ステップＳ３０３においてエラーが検出されたと判定された場合には、ステップＳ３０４においてエラー情報が読み出される。このエラー情報は、そのエラーを特定する情報（エラーＩＤ）である。そして、本体制御部１４０は、ステップＳ３０５において、エラー情報を制御部４００ａに送信し、処理を終了する。
【００５９】
一方、制御部４００ａは、ステップＳ４０１において、エラー情報を受信したか否かを判定する。エラー情報が受信された場合には、ステップＳ４０６へ処理が進み、後述するエラー処理が実行される。一方、エラー情報が受信されていない場合には、制御部４００ａは、ステップＳ４０２において、制御装置４００の動作状態情報を取得する。この動作状態情報には、ソフトウェアの内部状態情報や、通信インタフェース等のハードウェアの状態情報が含まれている。そして、制御部４００ａは、ステップＳ４０３において、取得した動作状態情報を解析する。エラーが発生している場合には、この動作状態の解析処理によってエラーが検出される。次に、ステップＳ４０４において、制御部４００ａはエラーが検出されたか否かを判定する。エラーが検出されていない場合には、ステップＳ４０１へ処理が戻される。ステップＳ４０４においてエラーが検出されたと判定された場合には、ステップＳ４０５においてエラー情報が読み出される。そして、制御部４００ａは、次に説明するエラー処理を実行し（ステップＳ４０６）、その後処理を終了する。
【００６０】
このエラー処理は、図７に示すように、表示部４００ｂに表示されたメインウィンドウ２０１の装置状態表示エリア２０２に所定の表示を行うとともに、測定部ヘルプウィンドウ（エラーウィンドウ）２１０を新たに表示部４００ｂに表示することにより行われる。
【００６１】
なお、メインウィンドウ２０１は、測定ユニット２を制御するためのアプリケーションプログラムを起動することによって表示部４００ｂに表示されるウィンドウであり、タイトルバー２０１ａ、メニューバー２０１ｂ、ツールバー２０１ｃ、主表示区画２０１ｄ、補助表示区画２０１ｅを有する。図７に示す例では、主表示区画２０１ｃにオーダ登録画面が表示されている。補助表示区画２０１ｄには、装置状態表示エリア２０２、メッセージ表示エリア２０３、消耗品情報表示エリア２０４が設けられている。測定部ヘルプウィンドウ２１０は、メインウィンドウ２０１の主表示区画２０１ｃに、先に表示されている画面上に重ねて表示される。
【００６２】
制御部４００ａのハードディスク４０１ｄには、装置で起こり得る様々なエラーの態様について情報が予め記憶されている。具体的には、エラー名称（エラーの簡単な内容）、エラー発生箇所、エラーの復旧方法等の情報が互いに関連づけられた状態で記憶されている。また、エラー発生箇所についての情報は、当該箇所を３次元的又は２次元的に表現した画像（図面、写真、絵）による情報を含んでいる。
【００６３】
図６は、制御部４００ａによるエラー処理の手順を示すフローチャートである。
図６のステップＳ４１１において、制御部４００ａは、検出されたエラーに対応するエラー名称、アクションメッセージ、及びエラー復帰用アイコンをハードディスク４０１ｄから読み出す処理を行う。ここで、アクションメッセージとは、主としてエラーの復旧方法に関する情報であって、エラーを復旧するための手順を文章（テキスト）で表したものである。エラー復帰用アイコン２２０は、同じくエラーの復旧方法に関する情報であって、図７に示すように、当該エラーから復帰するためにユーザーが行うべき動作を簡略的に図示したものである。
【００６４】
図６のステップＳ４１２において、制御部４００ａは、検出されたエラーに対応する表示色で装置状態表示エリア２０２を表示し（図７に点線のハッチングで示す；表示色の詳細については後述する）、当該エラーに対応するエラー復帰用アイコン２２０がある場合は、そのエラー復帰用アイコン２２０を装置状態表示エリア２０２に表示する。さらに、図７に示すような測定部ヘルプウィンドウ２１０をメインウィンドウ２０１上に表示する（ステップＳ４１３）。また、測定部ヘルプウィンドウ２１０の表示とともにアラーム音を発生させる。
【００６５】
この測定部ヘルプウィンドウ２１０の上部側にはエラーリスト（エラー名称表示エリア）２１０ａが設けられ、このエラーリスト２１０ａには、検出された１又は複数のエラー名称が表示される。図７に示す例では、エラーリスト２１０ａに７個のエラー名称が上下に羅列して表示されている。このエラーリスト２１０ａには優先順位の高い順番でエラー名称が表示される。エラーリスト２１０ａ内の右側には、エラー名称をスクロールさせるボタン２１０ｂが設けられている。また、測定部ヘルプウィンドウ２１０の下部側にはアクション表示エリア（復旧操作表示エリア）２１０ｃが設けられ、このアクション表示エリア２１０ｃには、エラーリスト２１０ａで選択されたエラー名称に対応するアクションメッセージが表示される。
【００６６】
測定部ヘルプウィンドウ２１０が立ち上がった直後の初期状態ではエラーリスト２１０ａ内の最上部のエラー名称が選択された状態になり、そのエラー名称に対応したアクションメッセージがアクション表示エリア２１０ｃに表示される。ユーザーが他のエラー名称を選択すると、そのエラー名称に対応したアクションメッセージがアクション表示エリア２１０ｃに表示される。
このような処理を行うため、制御部４００ａは、図６のステップＳ４１４において、エラーリスト２１０ａ内の他のエラー名称の選択を受け付けたか否かを判断する。制御部４００ａは、エラーリスト２１０ａ内の他のエラー名称の選択を受け付けた場合（Ｙｅｓ）、ステップＳ４１５へ処理を進め、当該選択を受け付けなかった場合（Ｎｏ）にはステップＳ４１６へ処理を進める。ステップＳ４１５において、制御部４００ａは、新たに選択されたエラー名称に対応するアクションメッセージをアクション表示エリア２１０ｃに表示する。
【００６７】
ユーザーは、測定部ヘルプウィンドウ２１０に表示されたエラー名称とアクションメッセージを読み、アクションメッセージに表示された手順で操作を行うことによってエラーを復旧することが可能となる。また、アラームリセットボタン２１０ｄを選択することによってアラーム音を停止することができる。
【００６８】
図７に示すように、装置状態表示エリア２０２には、「エラー」という文字が表示されるとともに、２つのエラー復帰用アイコン２２０ａ，２２０ｂが表示されている。一方のエラー復帰用アイコン２２０ａは、ラック４の再セットを指示する「ラック再セットアイコン」であり、他方のエラー復帰用アイコン２２０ｂは、メインウィンドウ２０１の右上に表示された測定開始ボタン２０４の選択を指示する「測定開始アイコン」である。
【００６９】
装置状態表示エリア２０２にこのようなラック再セットアイコン２２０ａや測定開始アイコン２２０ｂが表示された場合、ユーザーは、検体搬送部１０に対してラック４を再セットするとともに、メインウィンドウ２０１の測定開始ボタン２０４を選択（クリック）することによって、測定を再開することが可能となる。すなわち、装置状態表示エリア２０２に画像表示されたエラー復帰用アイコン２２０に従ってユーザーが操作することにより、エラー状態から復旧することが可能となっている。
【００７０】
エラー復帰用アイコン２２０は、その画像のデザインによってユーザーが行うべき操作内容を認識できるように構成されている。例えば、ラック再セットアイコン２２０ａは、ラック４を模写した簡略的な画像とラック４の再セットを表す矢印とから構成され、ユーザーはこの画像のデザインを見て行うべき操作を連想することが可能である。また、測定開始アイコン２２０ｂは、測定開始ボタン２０４と同じデザインとされており、これによってユーザーは、測定開始アイコン２２０ｂと同じ画像のボタンを探して選択すればよく、別のボタンを誤って選択してしまうような誤操作を防止することができる。
【００７１】
制御部４００ａは、エラー処理に関する動作として、測定部ヘルプウィンドウ２１０に加えて異常箇所ダイアログ２３０（図８参照）の表示を行うことができる。この異常箇所ダイアログ２３０は、図７に示すように、測定部ヘルプウィンドウ２１０内の「異常箇所」ボタン２１０ｅを選択（クリック）することによって新たに立ち上がるウィンドウであり、ユーザーが測定部ヘルプウィンドウ２１０に表示された内容だけではエラー箇所を認識することができない場合や、そのエラーについての詳細な情報を知りたい場合に、必要に応じて表示させることができるものである。
【００７２】
図８は、図７で示したものとは異なる内容の測定部ヘルプウィンドウ２１０と、この測定部ヘルプウィンドウ２１０に対応する異常箇所ダイアログ２３０を示す図である。この図８に示す例では、測定部ヘルプウィンド２１０のエラーリストには「ホストコンピュータ通信異常」というエラー名称が選択され、そのアクションメッセージとして、アクション表示エリア２１０ｃには、「ホストコンピュータとの接続設定をＯＦＦにしています。ホストコンピュータに問題がない場合は、設定をＯＮにしてください。」という復旧情報が表示されている。
【００７３】
そして、ユーザーがこの測定部ヘルプウィンドウ２１０ａの異常箇所ボタン２１０ｅを選択すると、その右側に示すような異常箇所ダイアログ２３０が立ち上がる。この異常箇所ダイアログ２３０の上部側には、エラー発生箇所を画像で表示するエラー箇所表示エリア２３０ａが設けられている。エラー箇所表示エリア２３０ａには、制御装置４００（ＩＰＵ）と、この制御装置４００に通信可能に接続されたホストコンピュータ（ＨＯＳＴ）との関係が３次元画像で表示されている。異常箇所ダイアログ２３０の下部側には、エラーの発生原因等のエラーに関する詳細内容を表示する詳細内容表示エリア２３０ｂが設けられている。このような異常箇所画像が表示されることにより、ユーザーは制御装置４００でエラーが発生していることを視覚的に認識することができる。
【００７４】
このような異常箇所ダイアログ２３０の表示を行うため、制御部４００ａは、図６のステップＳ４１６において、測定部ヘルプウィンドウ２１０の異常箇所ボタン２１０ｅがユーザーによって選択された否か、すなわち、異常箇所ダイアログ２１０ｅの表示指示を受け付けたか否かを判断する。異常箇所ダイアログ２３０の表示指示を受け付けた場合（Ｙｅｓ）、制御部４００ａはステップＳ４１７へ処理を進め、当該表示指示を受け付けなかった場合（Ｎｏ）はステップＳ４２１へ処理を進める。
【００７５】
ステップＳ４１７において、制御部４００ａは、エラーリスト２１０ａで選択されたエラー名称に対応する異常箇所画像及びエラー詳細メッセージをハードディスク４０１ｄから読み出し、ステップＳ４１８において異常箇所ダイアログ２３０を表示する。
ユーザーは、異常箇所ダイアログ２３０のエラー箇所表示エリア２３０ａに表示された異常箇所画像からエラーが発生した箇所を視覚的に認識することができる。すなわち、測定部ヘルプウィンドウ２１０のアクションメッセージだけではエラー発生箇所が解り難い場合に、異常箇所ダイアログ２３０を表示させることで、操作経験の浅いユーザーであってもエラー発生箇所を正確に認識し、復旧させることが可能となる。また、詳細内容表示エリア２３０ｂに表示されたエラー詳細メッセージを読むことによってユーザーはエラーについてのより詳しい情報を得ることができる。
なお、測定部ヘルプウィンドウ２１０の表示内容だけでエラーの復旧が可能な場合には、ユーザーは、必ずしも異常箇所ダイアログ２３０を表示させなくてもよい。
【００７６】
図９は、他の例に係る測定部ヘルプウィンドウ２１０と、この測定部ヘルプウィンドウ２１０に対応する異常箇所ダイアログ２３０を示す図である。この図９に示す例では、測定部ヘルプウィンド２１０のエラーリスト２１０ａには「検体吸引センサ異常」というエラー名称が選択され、そのアクションメッセージとして、エラーに伴う測定ユニット２の動作内容、エラーの復旧手順が文章表示されている。さらに、ユーザーが異常箇所ボタン２１０ｅを選択すると異常箇所ダイアログ２３０が表示され、そのエラー箇所表示エリア２３０ａには、検体吸引部位（検体分注アーム５０）を中心とするその周囲の３次元画像が表示され、詳細内容表示エリア２３０ｂには、エラーの原因やエラーが復旧しなかった場合の対処法等が表示されている。エラー箇所表示エリア２３０ａでは、エラー箇所に対してその部分が目立つような色（赤色等；ハッチングで示す）が付される。
【００７７】
図１０は、さらに他の例に係る測定部ヘルプウィンドウ２１０と、この測定部ヘルプウィンドウ２１０に対応する異常箇所ダイアログ２３０を示す図である。この図１０に示す例では、測定部ヘルプウィンドウ２１０のエラーリスト２１０ａで「操作カバーが開いています」というエラー名称が選択され、そのアクションメッセージとして、エラーに伴う測定ユニット２の動作内容、エラーの復旧手順が文章で表示されている。さらに、ユーザーが異常箇所ボタン２１０ｅを選択すると、異常箇所ダイアログ２３０が表示され、そのエラー箇所表示エリア２３０ａには、測定部ユニット２の操作カバーを中心とするその周囲の３次元画像が表示され、詳細内容表示エリア２３０ｂには、エラー原因やエラーが復旧しなかった場合の対処法等が表示されている。エラー箇所表示エリア２３０ａでは、エラーが発生した箇所に対してその部分が目立つような色（ハッチングで示す）が付される。
【００７８】
ユーザーがエラーを復旧した後、異常箇所ダイアログ２３０を閉じる場合は、同ダイアログ２３０の「閉じる」ボタン２３０ｃを選択する。この際、制御部４００ａは、図６のステップＳ４１９において、ユーザーが異常箇所ダイアログの「閉じる」ボタン２３０ｃを選択したか否か、つまり異常箇所ダイアログ２３０の非表示指示を受け付けた否かを判断する。当該非表示指示を受け付けた場合（Ｙｅｓ）、制御部４００ａはステップＳ４２０へ処理を進め、異常箇所ダイアログ２３０を非表示にする（閉じる）処理を行う。
【００７９】
ついで制御部４００ａは、ステップＳ４２１において、エラー復旧に必要な操作（処理）が行われたか否かを判断し、当該操作が行われた場合（Ｙｅｓ）はステップＳ４２２へ処理を進め、行われなかった場合にはステップＳ４１４へ処理を戻す。ステップＳ４２２において、制御部４００ａは、復旧されたエラー名称を測定部ヘルプウィンドウ２１０のエラーリスト２１０ａから削除する。さらに、ステップＳ４２３において、制御部４００ａは、必要に応じて装置状態表示エリア２０２（図７参照）の表示色を切り換え、対応するエラー復旧用アイコン２２０を非表示にし、処理をステップＳ４１４に戻す。
【００８０】
［装置状態表示エリア］
図１１は、図７に示した装置状態表示エリア２０２のテキスト表示、表示色、エラー復帰用アイコン、及び装置状態の関係を対応づけて説明するテーブルである。メインウィンドウ２０１の装置状態表示エリア２０２には測定ユニット２の装置状態を表す文字情報（テキスト）が表示され、装置状態に応じて当該エリア２０２全体の色が灰、青、緑、黄、又は赤に切り換えられる。本実施の形態では、図１１のＮｏ．１〜Ｎｏ．１５に示す各装置状態に応じて、装置状態表示エリア２０２に表示するテキストデータ、各表示色の装置状態表示エリア２０２の背景画像、及びエラー復帰用アイコンが予め設定されており、それぞれを対応づけて制御部４００ａのハードディスク４０１ｄに記憶させている。
【００８１】
装置状態表示エリア２０２の色は、例えば、測定ユニット２の電源がオフ状態にあり測定ができない場合には「灰」とされ（Ｎｏ．１）、測定ユニット２の電源がオンであるが、すぐに測定を行うことができない状態（休止状態、スリープ状態等）では「青」とされ（Ｎｏ．２，３）、測定ユニット２は測定動作を行っていないが、すぐに又は間もなく測定を開始できる状態では「緑」とされ（Ｎｏ．４〜Ｎｏ．６）、測定ユニット２が測定動作、初期動作、保守動作等を行っている状態では「黄」とされる（Ｎｏ．７〜Ｎｏ．１４）。また、測定中等に致命的なエラーが生じて測定できなくなった場合には「赤」とされる（Ｎｏ．１５）。これらの各表示色の装置画像表示エリア２０２の背景画像がそれぞれの装置状態と対応づけられてハードディスク４０１ｄに記憶されている。
【００８２】
本実施の形態では、測定ユニット２の動作中（表示色が「黄」）に、何らかのエラーが発生した場合に、上述したエラー復帰用アイコン２２０（図７参照）を装置状態表示エリア２０２に表示する。例えば、測定ユニット２の動作中に中断ボタン２０５（図７参照）が押されると、既に吸引された検体が測定中のままで新たな検体の吸引が停止される。この場合、図１１のＮｏ．１１に示すように、装置状態表示エリア２０２には黄色の背景画像が表示され、「中断中」とテキスト表示されるとともに、エラー復帰用アイコン２２０として「測定開始アイコン」２２０ｂが表示される。ユーザーは、当該エラーが生じた場合には、測定開始アイコン２２０ｂに従って測定開始ボタン２０４（図７参照）を選択することにより測定を再開することができる。
【００８３】
また、本実施の形態では、図１１のＮｏ．１２〜Ｎｏ．１４に示すように、測定ユニット２の動作中（表示色が「黄」）に「エラー」とテキスト表示されるパターンが３つある。いずれも既に吸引された検体は測定中であるが、新たな検体の吸引を停止した状態となるエラーであり、Ｎｏ．１２は、単に測定開始ボタン２０４を選択することによって測定再開が可能なエラー、Ｎｏ．１３は、ラック４を再セットし且つ測定開始ボタン２０４を選択することによって測定再開が可能なエラー、Ｎｏ．１４は、ラック４を再セットした後、現在の測定が終了するまで測定再開ができないエラー（測定開始ボタン２０４の選択を受け付けないエラー）である。
【００８４】
Ｎｏ．１２では、測定開始ボタン２０４を選択するだけで測定再開可能であるので、装置状態表示エリア２０２には「測定開始アイコン」２２０ｂのみが表示され、Ｎｏ．１３では、ラック再セット後に測定開始ボタン２０４を選択すれば測定再開可能であるので、「ラック再セットアイコン」２２０ａと「測定開始アイコン」２２０ｂとの両方が表示される。Ｎｏ．１４では、ラック４の再セットが必要であるが、測定開始ボタン２０４を選択できないので、「ラック再セットアイコン」２２０ａと、「測定開始不可アイコン」（測定開始アイコンに×印をつけたもの）が表示されるようになっている。
【００８５】
以上のように、装置状態表示エリア２０２には、測定ユニット２の装置状態に応じた色が付されるので、ユーザーは測定ユニット２が動作可能かどうか、既に動いているかどうか等の状態を一見して認識することが可能となっている。
【００８６】
本発明は、上記実施の形態に限定されることなく適宜設計変更可能である。例えば、異常箇所ダイアログ２３０は、測定部ヘルプウィンドウ２１０と同時に表示部４００ａに表示させることもできるし、これらを１つのウィンドウとして表示させることもできる。本発明は、免疫分析装置に限らず、血液凝固測定装置、多項目血球分析装置、尿中有形成分分析装置、遺伝子増幅測定装置等の他の分析装置にも適用可能である。
【符号の説明】
【００８７】
１  免疫分析装置
１４０  本体制御部
２１０  測定部ヘルプウィンドウ
２２０  エラー復帰用アイコン
２３０  異常箇所ダイアログ
４００  制御装置
４００ａ  制御部
４００ｂ  表示部
４００ｃ  入力部
【図１】
0005331916.tif 000002
【図２】
0005331916.tif 000003
【図３】
0005331916.tif 000004
【図４】
0005331916.tif 000005
【図５】
0005331916.tif 000006
【図６】
0005331916.tif 000007
【図７】
0005331916.tif 000008
【図８】
0005331916.tif 000009
【図９】
0005331916.tif 000010
【図１０】
0005331916.tif 000011
【図１１】
0005331916.tif 000012